(57)【特許請求の範囲】
【請求項１】
マスタシリンダ（１０６）と少なくとも１つのホイールブレーキとを備える液圧式ブレーキシステムの他に、液圧式ではない少なくとも１つの別のブレーキシステムを備える総ブレーキ装置の液圧式ブレーキシステムで使用するための液圧アキュムレータ装置（１０８，１１７，４０３，５０２）であって、液圧アキュムレータ装置（１０８，１１７，４０３，５０２）が、マスタシリンダ（１０６）の出口および少なくとも１つのホイールブレーキと液圧的に接続しており、別のブレーキシステムの作動状態に関係して、液圧式ブレーキシステムからの容積を収容するか、保持するか、または自動的に液圧式ブレーキシステムに放出する形式の液圧アキュムレータ装置（１０８，１１７，４０３，５０２）において、
前記液圧アキュムレータ装置（１０８，４０３）が、第１のピストン-シリンダユニットを備え、該第１のピストン-シリンダユニットが、異なる断面積を有する２つのピストン（１１４，１１５）と２つのチャンバ（１２１，１２２）とからなることを特徴とする、液圧アキュムレータ装置（１０８，１１７，４０３，５０２）。
【請求項２】
請求項１に記載の液圧アキュムレータ装置（１０８，１１７，４０３，５０２）において、
前記別のブレーキシステムの作動状態が、別のブレーキシステムによる総ブレーキ作用への貢献度の変化によって表され、
前記別のブレーキシステムの貢献度が増大した場合に容積の収容が行われ、および／または
前記別のブレーキシステムの貢献度が減少した場合に容積の放出が行われるようになっている、液圧アキュムレータ装置。
【請求項３】
請求項１に記載の液圧アキュムレータ装置（１０８，１１７，４０３，５０２）において、
液圧アキュムレータ装置が、
少なくとも１つの弾性素子（１１６，１２３，１１８）を備える、液圧アキュムレータ装置。
【請求項４】
請求項１に記載の液圧アキュムレータ装置において、
前記液圧式ブレーキシステムが、前記液圧アキュムレータ装置（１０８，４０３）、前記マスタシリンダ（１０６）および少なくとも１つのホイールブレーキの間の液圧的な接続を遮断するための遮断手段（１１１，１２４，４０１，４０２）を備え、少なくとも１つのホイールブレーキを、前記液圧アキュムレータ装置（１０８，４０３）および前記マスタシリンダ（１０６）から液圧的に分離することができるようになっており、
前記液圧式ブレーキシステムからの容積の収容、容積の蓄積および液圧式ブレーキシステム内への容積の放出が、前記遮断手段（１１１，１２４，４０１，４０２）の制御によって行われる、液圧アキュムレータ装置。
【請求項５】
請求項１に記載の液圧アキュムレータ装置において、
前記液圧式ブレーキシステムがブレーキ装置のための操作素子（１０１）を備え、該操作素子が、前記液圧アキュムレータ装置（１０８，１１７）と液圧的に接続したピストン-シリンダユニット（１０９，１１０）を備え、前記液圧アキュムレータ装置（１０８，１１７）と前記ピストン-シリンダユニット（１０９，１１０）との間の液圧的な接続を遮断するための制御可能な遮断手段（１１３）が設けられており、
液圧式ブレーキシステムからの容積の収容、容積の蓄積および液圧式ブレーキシステム内への容積の放出が前記遮断手段（１１１，１１３，１２４）の制御によって行われる、液圧アキュムレータ装置。
【請求項６】
請求項３に記載の液圧アキュムレータ装置において、
前記液圧アキュムレータ装置（１０８，１１７，４０３）の前記チャンバ（１２１，１２２）ならびに前記マスタシリンダ（１０６）のそれぞれの断面積、および／または
少なくとも１つの弾性素子（１１６，１２３，１１８）の予荷重および設計、および／または
前記液圧式ブレーキシステム（１０８，１１７，４０３，５０２）内に設定された圧力に関して前記液圧アキュムレータ装置の充填状態が、
ブレーキ液の容積の収容および／または自動的な放出および／または蓄積が、構造に基づいた限界内で可能であるように設計されている、液圧アキュムレータ装置。
【請求項７】
請求項５に記載の液圧アキュムレータ装置（１０８，１１７，４０３）において、
操作素子（１０１）のシリンダ（１０９）の断面積が、ブレーキ液の容積の収容および／または自動的な放出および／または蓄積が、構造に基づいた限界内で可能であるように寸法決めされている、液圧アキュムレータ装置。
【請求項８】
請求項１に記載の液圧アキュムレータ装置（１０８，１１７，４０３，５０２）を作動する方法であって、
前記液圧式ブレーキシステムが、運転手により加えられたブレーキ力（１０２）を所定の支援力だけ増幅作用させるブレーキブースタと、ブレーキ装置のための操作素子（１０１）とを備え、
別のブレーキシステムに基づくブレーキトルク増大時にブレーキブースタの作用を低減し、および／または
別のブレーキシステムに基づくブレーキトルク減少時にブレーキブースタの作用を増大するように前記ブレーキブースタを作動し、
総ブレーキ装置により加えられた総ブレーキトルクを実質的に一定にし、ブレーキブースタによって加えられた支援力の変化によって誘起される前記操作素子（１０１）の位置変化に、液圧式ブレーキシステムから、および／または液圧式ブレーキシステム内への容積収容および／または容積放出を反作用させ、前記変化を完全に、または少なくとも部分的に補償することを特徴とする方法。
【請求項９】
請求項８に記載の方法において、
前記別のブレーキシステムの作動状態を、別のブレーキシステムによる総ブレーキ作用への貢献度の変化によって表し、、
前記別のブレーキシステムの貢献度が増大した場合に容積の収容を行い、および／または  前記別のブレーキシステムの貢献度が減少した場合に容積の放出を行うようにする方法。
【請求項１０】
請求項８に記載の方法において、
少なくとも１つの液圧的な接続を遮断するための制御可能な遮断手段（４０１，４０２）を設け、前記液圧アキュムレータ装置（４０３）と少なくとも１つのホイールブレーキとマスタシリンダ（１０６）との間の少なくとも１つの液圧的な接続を制御可能な遮断手段（１２４，４０１，４０２）によって遮断し、液圧式ブレーキシステムから、および／または液圧式ブレーキシステム内へのブレーキ液の容積放出および／またはブレーキ液の容積収容ならびにブレーキ液容積の蓄積を前記遮断手段（１２４，４０１，４０２）の制御により制御する方法。
【請求項１１】
請求項１０に記載の方法において、
前記液圧式ブレーキシステムに、制御可能なブレーキブースタと、前記液圧アキュムレータ装置（１０８，１１７，４０３，５０２）と前記マスタシリンダ（１０６）と少なくとも１つのホイールブレーキとの間の液圧的な接続を遮断し、前記液圧アキュムレータ装置（１０８，１１７，４０３，５０２）から前記ホイールブレーキを液圧的に分離するための遮断手段（１２４）とを設け、前記遮断手段（１１１，１１３，４０１，４０２，５０１）を制御し、遮断手段（１２４）が閉じた状態でブレーキブースタを制御することによって前記液圧アキュムレータ装置（１０８，１１７，４０３，５０２）を充填する方法。
【請求項１２】
請求項８から１１までのいずれか一項に記載の方法において、
前記液圧アキュムレータ装置（１０８，１１７，４０３，５０２）からの容積を液圧式ブレーキシステムに供給する前記液圧アキュムレータ装置（１０８，１１７，４０３，５０２）の圧力レベルを、
前記液圧アキュムレータ装置（１０８，１１７，４０３，５０２）の構成および／または
前記ブレーキブースタによる前記液圧アキュムレータ装置（１０８，１１７，４０３，５０２）の充填および／または
ブレーキ回路から前記液圧アキュムレータ装置（１０８，１１７，４０３，５０２）への容積の放出による液圧アキュムレータ装置の充填によって上昇させ、前記液圧アキュムレータ装置（１０８，１１７，４０３，５０２）により容積を自動的に放出させるように上昇させる方法。
【請求項１３】
請求項８に記載の方法において、
運転手が制動しない走行状態でブレーキブースタにより前記液圧アキュムレータ装置（１０８，１１７，４０３，５０２）を充填する方法。
【請求項１４】
請求項８に記載の方法において、
少なくとも１つの液圧的な接続を遮断するための制御可能な遮断手段（１１１，１１３）を設け、前記液圧アキュムレータ装置（１０８，１１７）と少なくとも１つのホイールブレーキとマスタシリンダ（１０６）との間の少なくとも１つの液圧的な接続ならびに前記液圧アキュムレータ装置（１０８，１１７）と、ブレーキ装置のための操作素子（１０１）における第２のピストン-シリンダユニット（１０９，１１０）との間の少なくとも１つの液圧的な接続を、制御可能な遮断手段（１１１，１１３，１２４）によって遮断し、液圧式ブレーキシステムから、および／または液圧式ブレーキシステム内へのブレーキ液の容積放出および／またはブレーキ液の容積収容ならびにブレーキ液容積の蓄積を前記遮断手段（１１１，１１３，１２４）によって制御する方法。
【発明の詳細な説明】
【背景技術】
【０００１】
車両の液圧式ブレーキシステムでは、多くの場合ブレーキペダルが運転手によって操作され、場合によってはブレーキブースタの支援によって、出口に液圧装置を接続したマスタ・ブレーキシリンダの内部でピストンを変位する。これにより、ブレーキ液は液圧装置（例えばＥＳＰまたはＡＢＳ）に注入され、ホイールブレーキシリンダに案内される。注入された容積はホイールブレーキシリンダ内でブレーキ圧力を高め、ブレーキディスクにブレーキライニングが圧着されることによってブレーキ作用が生じる。
【０００２】
自動車を駆動するための電動モータが設けられた車両では、電動モータは、電動モータが駆動装置として使用されない走行状態では、バッテリを充電するための発電機として使用される。発電機としての電動モータの作動により、車両の運動エネルギーが電気エネルギーに変換されるブレーキ作用が生じる。これを回生ブレーキと呼ぶ。制動時に得られたエネルギーは後の時点で、再び別の形で、例えば車両を駆動するために使用される。
【０００３】
発電機により制動のために貢献した発電機トルクは、一般に車両の走行速度に依存しており、したがって、制動時に変化するか、または発電機により生成されるブレーキ作用は十分ではない。変化する発電機トルクを補償または補足するために、回生ブレーキシステムと液圧式ブレーキシステムとを総ブレーキ装置として組み合わせることができる。
【０００４】
例えば、運転手によるブレーキペダル操作によって、所望の総ブレーキトルクが規定された場合、運転手が望む総ブレーキトルクに比べて発電機トルクが小さすぎる場合に、液圧式ブレーキシステムによって、例えば液圧式ブレーキシステムにおける圧力上昇によって、総ブレーキトルクと発電機トルクとの差を埋め合わせることができる。例えば、液圧式ブレーキシステムにおけるブレーキブースタの作用の変化に起因する圧力変化は、従来のブレーキシステムでは、ブレーキペダルの操作距離の変化につながることが多く、これは運転手にとって苛立たしいものである。
【０００５】
それ故、ブレーキペダルは、運転手のためにペダル感覚を生成するためのペダル距離シミュレータに接続されることが多く、ブレーキペダルは、ブレーキシステムから完全に分離されており、液圧式ブレーキシステムにおける圧力形成は、純粋に外力、例えばアキュムレータにより生じる。しかしながら、外力に故障が生じた場合、ブレーキペダルとホイールブレーキとの間の機械的結合はもはやなく、したがって、運転手のみによる非常操作の可能性がなくなるという危険性をはらんでいる。
【０００６】
国際公開第２００４／１０１３０８号パンフレットには、液圧式ブレーキシステムと回生ブレーキシステムとを一緒に作動し、この場合に高いブレーキ快適性を得るためにどのようにして液圧式ブレーキシステム内の圧力比を変更することができるかについての方法が記載されている。このために、この刊行物ではブレーキ媒体の容積が低圧アキュムレータに放出される。この低圧アキュムレータから、ポンプの操作によりブレーキ媒体を再び液圧回路に供給することができる。
【先行技術文献】
【特許文献】
【０００７】
【特許文献１】国際公開第２００４／１０１３０８号パンフレット
【発明の概要】
【０００８】
請求項１の特徴を有する本発明による装置および請求項６の特徴を有する本発明による方法により、運転手操作力が加えられた場合に運転手を苛立たせるブレーキペダル位置変化を回避して、総ブレーキ装置の回生部分による発電機トルクと液圧ブレーキ装置のブレーキトルクとを組み合わせることが可能である。さらに、ブレーキペダルと液圧式ブレーキシステムとの連結が依然として設けられてことにより非常時にフォールバック・プランが保持される。
【０００９】
このために、液圧アキュムレータ装置は液圧式ブレーキシステムに接続されており、液圧式ブレーキシステムは、非液圧式の別のブレーキシステムと共に総ブレーキシステムをなしている。液圧アキュムレータ装置は、マスタシリンダおよび液圧式ブレーキシステム内に接続された少なくとも１つのブレーキホイールに接続している。
【００１０】
本発明の核は、液圧アキュムレータ装置が別のブレーキシステムの作動状態に関係して液圧式のブレーキシステムからの容積を収容するか、保持するか、または自動的に液圧式のブレーキシステム内に放出することである。液圧式のブレーキシステムからの容積を収容し、および／または液圧式のブレーキシステム内に容積を放出することにより、冒頭で述べたブレーキペダルのペダル位置変化に反作用させることができる。自動的な放出により、特に付加的な容積搬送装置、例えばアキュムレータを排出するための循環ポンプは不要となり、これにより安価な実施形態が得られる。
【００１１】
有利な実施形態では、別のブレーキシステムの上記作動状態は、別のブレーキシステムの総ブレーキ作用への貢献度の変化によって表される。特に液圧アキュムレータ装置は、
別のブレーキシステムの貢献度が増大した場合に容積の収容が行われ、および／または
別のブレーキシステムの貢献度が減少した場合に容積の放出を行う
ように作動される。
【００１２】
有利な実施形態では、液圧アキュムレータ装置は少なくとも１つのピストン、少なくとも１つのシリンダおよび少なくとも１つの弾性素子を備える。同様に、ダイアフラム式アキュムレータおよび／または金属ベローズ式アキュムレータの形態の液圧アキュムレータ装置ならびにアキュムレータ機能を有する他のあらゆる容量収容ユニットが可能である。
【００１３】
さらに、液圧的な接続を遮断するための手段が設けられており、これらの手段によって、液圧アキュムレータ装置を液圧式ブレーキシステム内でホイールブレーキから分離することができる。これらの遮断手段は液圧アキュムレータ装置によって、
容積を収容することができるか、または容積を収容し、
容積を保持することができるか、または容積を保持し、
容積を放出することができるか、または容積を放出するように制御される。
【００１４】
特に、ブレーキ装置は、ブレーキ装置のための操作素子を備え、操作素子は、同様に液圧アキュムレータ装置に接続されたピストン-シリンダユニットを備える。この液圧的な接続も別の遮断手段によって遮断することができる。この別の遮断手段によって、液圧アキュムレータ装置は、操作素子に組み込まれたピストン-シリンダユニットの方向に排出することができる。
【００１５】
さらに、液圧アキュムレータ、ピストン-シリンダユニットのシリンダおよびマスタシリンダの少なくとも１つのシリンダのそれぞれの断面積は、液圧式ブレーキシステム内の容積搬送が液圧アキュムレータに関して、生じた圧力比に基づいて可能となるように、慎重に選択すべきである。このために、液圧アキュムレータ装置内に場合によっては既に提供されている圧力レベルと同様に、少なくとも１つの弾性素子の予荷重および設計も考慮すべきである。
【００１６】
本発明による方法では、液圧アキュムレータ装置は、別のブレーキシステムの作動状態に関係して、液圧式ブレーキシステムからブレーキ液の容積を収容し、保持し、特に別のブレーキシステムのブレーキトルク変化に関係して、再び液圧式ブレーキシステムに放出するように作動される。
【００１７】
さらに、別のブレーキシステムの作動状態は、別のブレーキシステムによる総ブレーキ作用への貢献度の変化によって表すことができる。別のブレーキシステムの総ブレーキ作用への貢献度が増大した場合、液圧アキュムレータ装置は容積を収容し、これに対して貢献度が減少した場合、液圧アキュムレータ装置は容積を放出する。
【００１８】
別の構成では、液圧式ブレーキシステムは運転手により加えられたブレーキ力を増幅するブレーキブースタを備える。ブレーキブースタは、別のブレーキシステムとの組み合わせで、総ブレーキ作用を生成するように制御される。別のブレーキシステムの貢献度が増大した場合、ブレーキブースタの作用は低減され、別のブレーキシステムの貢献度が減少した場合、ブレーキブースタの作用は高められる。ブレーキブースタのこのような操作によって生じるブレーキペダルのペダル変位には、液圧アキュムレータ装置の本発明による操作が反作用し、特に液圧式ブレーキシステムからの容積収容および／または液圧式ブレーキシステム内への容積放出が反作用する。ペダル変位は、完全に、および／または少なくとも部分的に補償される。
【００１９】
さらに、制御可能な遮断手段が設けられており、これらの遮断手段は、液圧アキュムレータ装置と液圧式ブレーキシステムとの間の少なくとも１つの液圧的な接続を遮断し、遮断手段の制御により、液圧式ブレーキシステムからのブレーキ液の容積放出および／または液圧式ブレーキシステム内への溶液収容ならびにブレーキ液の容積の蓄積が制御される。
【００２０】
有利には、別の遮断手段が設けられており、これらの遮断手段は、液圧式ブレーキシステムに接続されたホイールブレーキを、液圧アキュムレータ装置およびマスタシリンダから液圧的に分離する。液圧式ブレーキシステム内に提供された制御可能なブレーキブースタにより、液圧式ブレーキシステムから分離されたホイールブレーキでは、制御可能なブレーキブースタの作動により液圧アキュムレータ装置を充填することができる。
【００２１】
特に、アキュムレータから容積を放出することができる圧力レベルを高めるためにアキュムレータはあらかじめ充填され、これにより、アキュムレータからの容積をより高い圧力レベルで液圧式ブレーキシステムまたはピストン-シリンダユニットに再び供給することが可能である。これは、同様に液圧アキュムレータ装置の構造的設計により可能となる。
【００２２】
本方法の有利な構成では運転手が制動しない走行状態でアキュムレータがあらかじめ充填される。
【図面の簡単な説明】
【００２３】
【図１】図１ａは、液圧式ブレーキシステムに組み込まれた本発明による装置を示す図であり、図１ｂは、別の実施例を挿入部として示す図である。
【図２】電動機トルクが停止された場合のペダルにおける距離補償を行う３つの方法ステップを示す図である。
【図３】電動機トルクがスイッチオフされた場合のペダルにおける距離補償を行う３つの方法ステップを示す図である。
【図４】アキュムレータユニットが２つのチャンバを備えるが、図１とは反対に入口チャンバにではなく、液圧式ブレーキシステムに排出される本発明による装置の別の実施形態を示す図である。
【図５】図４に類似しているが、チャンバが１つしか設けられていない別の実施形態を示す図である。
【発明を実施するための形態】
【００２４】
有利な実施形態では、従来の液圧部分（例えばＥＳＰ，ＡＢＳ構成素子を含む）と、付加的部分とからなる総ブレーキ装置から出発する。例示目的で、ブレーキ作用のための付加的な貢献が回生ブレーキシステムにより生じ、発電機モーメントによりもたらされると仮定する。ブレーキシステムの従来部分は入口装置１０１からなり、この入口装置を介して運転手力１０２をブレーキシステムに加えることができる。この運転手力は、連結素子１０４、例えば反応ディスクにおいて、例えば、制御可能なブレーキブースタによる支援力と組み合わせることができる。この制御可能なブレーキブースタは、例えば電気式に切り換えられる弁を有する電気機械式の制御可能な真空ブレーキブースタであってもよいし、もちろん他の実施形態も可能である。連結素子１０４はブレーキシステムのマスタシリンダ１０６の入口ロッドと機械的に結合１０５しており、図１にはタンデム式-マスタシリンダ１０６として示されているが、マスタシリンダはこの実施形態に限定されない。マスタシリンダ１０６はブレーキ液のための２つの出口１０７ａ，ｂを有し、これらの出口はブレーキシステムの少なくとも１つのブレーキ回路に通じており、したがって、ブレーキ回路に接続されたホイールブレーキ（図示しない）をマスタシリンダ１０６に液圧的に接続している。このマスタシリンダ１０６とホイールブレーキとの間の液圧的な接続は制御可能な弁１２４によって遮断することができる。従来の再循環システムでは、弁１２４は、液圧装置の流入弁、例えば切換弁の形態で提供されていてもよい。ここまでは、従来のブレーキシステムと際立った相違はない。場合によっては支援力と結合された運転手操作力は、マスタシリンダの圧力変化によって運転手のブレーキ願望を液圧式ブレーキシステムに伝達する。
【００２５】
いま付加的ブレーキトルクを遮断したい場合、少なくとも１つのブレーキ回路のブレーキ圧を調整する装置が必要となる。これは、制御可能なブレーキブースタによる支援力を調整することによって確保できる。これにより、もちろん液圧式ブレーキシステム内の圧力が変化し、ひいては収容容積が変化し、これにより、操作ユニットが移動する。
【００２６】
これを防止するために、ブレーキペダル距離の変化に反作用させる必要がある。
【００２７】
このために、少なくとも１つの出口１０７ａ，ｂが別の構成部分１０８と液圧的に接続される。この構成部分１０８は、さらにピストン１１０を含む入口チャンバ１０９と液圧的に接続している。入口チャンバ１０９およびピストン１１０は構造的に入口装置１０１に組み込まれている。アキュムレータユニット１０８は２つの切換弁１１１，１１３とピストン-シリンダユニットとからなり、ピストン-シリンダユニットは、異なる断面積を有する２つのピストン１１４，１１５と２つのチャンバ１２１，１２２とからなり、これらピストンは、予荷重をかけられたばね１１６によって連結されている。さらに、ピストン１１５は圧縮ばね１２３を介して液圧アキュムレータにおける右側のチャンバ１１２のハウジングに接続されている。より大きい断面積を有するチャンバは、弁１１１によってブレーキ回路から分離することができ、より小さい断面積を有するチャンバは弁１１３によって入口チャンバ１０９から分離することができる。液圧式ブレーキシステムの従来の作動は、弁１１１および１１３が閉鎖状態に保持されるか、または弁１１１が閉鎖状態に保持され、ピストン１０９が停止していることによって可能であり、この場合、弁１１３は開放されていてもよい。
【００２８】
本発明による方法を、総ブレーキ装置の第２の典型的な作動状態に基づき説明したい。このために、いま上記第１実施形態による構成から出発する。
【００２９】
状態１：運転手が制動し、発電機トルクが起動されるか、または増大する。（図２）
状態２：運転手および発電機トルクが制動し、発電機トルクが停止されるか、または低下する。
【００３０】
用語は、上記図面に対応する。本発明による装置および本発明による方法は、発電機トルクの起動・停止時のみではなく、発電機トルクの値の変更時にも使用される。図２ａには、第１ステップで運転手がどのようにしてブレーキ願望により運転手力をブレーキシステムに加え、この場合に入口装置１０１が運転手によって変位されるかが示されている。運転手は従来通りに制動する。付加的に連結素子に、制御可能なブレーキブースタの支援力が加えられる。上述のように、このブレーキ状態では、弁１１１および１１３が閉鎖されているか、または弁１１１が閉鎖されており、ピストン１０９が停止しており、弁１１３が開放されていてもよい。
【００３１】
いま発電機トルクが起動され、発電機トルクは車両を付加的に減速する。運転手はいま従来式および同時に回生式に制動する。一定の遅延を確保するために、支援力は図２ｂに示すように制御可能なブレーキブースタによって低減される。これにより、ブレーキシステム内の圧力が低減され、ブレーキ液はマスタシリンダに戻る。これにより、マスタシリンダのピストン、および連結素子の機械的結合により入口装置１０１もまたもとの作動方向とは反対に変位される。この変位を補償するために、弁１１１が開放され、ブレーキ液がブレーキ回路からアキュムレータに案内される。このために、弁１１３は閉鎖状態に保持される。
【００３２】
これにより、入口装置１０１は再びもとの作動方向に変位される。したがって、発電機トルクの起動による入口装置の距離差は、ブレーキ媒体をアキュムレータ装置に完全に放出するか、または少なくとも部分的に放出することによって補償される。
【００３３】
図３ａでは、運転手が既に従来式および回生式のブレーキシステムを組み合わせて制動することを前提とする。図３ａの状態は図２ｃの状態に対応する。入口装置１０１は、固定した作動距離に位置する。発電機トルクが停止された場合、制御可能なブレーキブースタはより大きい支援力を加え、ペダル位置に基づき運転手が期待する一定のブレーキ遅延を確保する必要がある。より大きい支援力はマスタシリンダ内により高い圧力をもたらし、対応したブレーキ媒体容積がブレーキ回路に移動され、ピストン、ひいては入口装置１０１も支援力方向に変位される。ここでも再びこのような変位を補償するために、容積は弁１１３の開放によってアキュムレータの右側のチャンバから入口装置１０１の入口チャンバ１０９に放出され、ピストン１１０は、これにより、運転手の方向に変位され、したがって入口装置の距離差は発電機トルクの減衰により完全に、または少なくとも部分的に補償される。
【００３４】
ブレーキプロセスの終了後、弁１１１および１１３が開放され、アキュムレータは、場合によってはばね１１６および１２３の作用によって再び初期状態に移行する。このために、右側のチャンバ１２２は入口素子からブレーキ液を収容し、左側のチャンバ１２１は、ブレーキ回路またはマスタシリンダのリザーバタンクにブレーキ液を放出する。システムに再びブレーキ液を供給するここに示さない代替的な可能性は、２つのチャンバのそれぞれからブレーキ液を有する少なくとも１つのリザーバタンク、特にマスタシリンダのリザーバタンクへの遮断可能な直接の液圧接続によるものである。
【００３５】
２つのチャンバからなるアキュムレータ装置の上記実施形態により、圧力レベルが上昇する。例えば、右側のピストンの断面積は、左側のピストンの断面積の１／３しかなく、ばね１１６の予荷重は、左側のチャンバに５ｂａｒの圧力が形成され、右側のチャンバから少なくとも１５ｂａｒの圧力によりブレーキ液を取り込むことができるように、しかも、左側のチャンバにあらかじめ放出された容積の１／３のみを取り込むことができるように設計されている。
【００３６】
例えば２つのピストンの連結によって、またはアキュムレータへのブレーキ液の放出によってばねの予荷重を誘起することができ、これによりばねの締め付けを行うこともできる。さらに、入口ピストン１１０に対する力がマスタシリンダにおける力よりも小さいという事実が利用される。
【００３７】
液圧アキュムレータを作動するための上記過程に加えて、液圧アキュムレータをあらかじめ充填することもできる。これは、本発明による方法ではブレーキブースタの作動により行われ、ブレーキブースタはマスタシリンダピストン１０５に力を加え、これにより、容積は接続された少なくとも１つのブレーキ回路および液圧アキュムレータの方向に移動される。ブレーキ液の容積を液圧アキュムレータ、より正確にいえば液圧アキュムレータの左側のチャンバに供給するために、弁１１１が開放され、弁１１３が閉鎖される。
【００３８】
さらに、ホイールブレーキとの液圧的な接続は弁１２４によって遮断され、これにより、液圧アキュムレータをあらかじめ充填する際にはブレーキ作用が阻止される。従来の再循環システムでは、これは液圧装置の流入弁、例えば切換弁の閉鎖により行われる。このようにあらかじめ充填を行うことにより、より小さい断面積に基づいたより高い圧力レベルで右側のチャンバからのより多くのブレーキ液を使用することができ、これにより使用範囲が拡大される。ブレーキブースタをあらかじめ充填することにより、同様にばね１１６の予荷重が生成される。
【００３９】
本発明による装置の代替的な構成は、図１に挿入部１１７として示されている。第１実施形態（図１）の２つの弁および２部材からなるピストン-シリンダユニット１０８を組み合わせて、２つのチャンバ１１４，１１５，１２１，１２２を有するピストン-シリンダユニットが１つのみのチャンバ１２０を備えるアキュムレータの形のピストン-シリンダユニットにより代替される。ピストン-シリンダユニットは圧縮ばね１１８およびピストン１１９を含む。他の全ての構成素子１１１，１１３は同一である。
【００４０】
使用した方法は、連結された２つのアキュムレータチャンバを有する上述の実施形態と同じ方法である。例として、ブレーキブースタの増幅係数は５であり、チャンバ１２０の断面積は、マスタシリンダの断面積と同一であり、入口チャンバ１０９の断面積はマスタシリンダの断面積の０．７５倍であると仮定されたい。アキュムレータチャンバ１２０の内部のばね１１８の予荷重は、チャンバ５の圧力が５ｂａｒとなり、ばねの剛性が無視できるように設計されたい。ブレーキシステム内の圧力は、発電機トルクが加えられる前に２０ｂａｒとされたい。２５．４ｍｍのマスタシリンダ直径によりマスタシリンダに対して１０１３Ｎの力が生じ、マスタシリンダに対して運転手によって加えられる力の割合は、１０１３／（５+１）=１６８Ｎとなる。液体が入口チャンバに放出された場合、５ｂａｒおよび入口チャンバの断面積がマスタシリンダの断面積の０．７５倍であることにより、１９０Ｎの運転手操作力が克服される。入口ピストン１１０の断面積がマスタシリンダの断面積より小さいので、液圧アキュムレータから入口チャンバへのブレーキ液の流出により形成される距離は、ブレーキ回路からのブレーキ液の流出によって補償される距離よりも大きい。詳細な説明は、図２および図３につき既に上述した方法に類似しているので省略する。２つのシリンダを有する液圧アキュムレータにおける説明に類似して、１つのみのシリンダを有する構成では、液圧アキュムレータはブレーキブースタの作動および弁１１１の開放、弁１２４の閉鎖によるホイールブレーキへの液圧的な接続の遮断ならびに弁１１３の閉鎖によってあらかじめ充填される。
【００４１】
本発明による装置４０３の代替的な構成が図４に示されている。この図における素子の符号は図１の素子と同一である。この実施形態では、図１に比べると液圧アキュムレータは入口チャンバ１０９に排出されるのではなく、容積はもともとアキュムレータに収容されたように高圧下に再びブレーキシステムに供給される。このために、アキュムレータ装置と入口素子のピストンとの間に液圧的な接続は設けられていない。この実施形態でも、発電機ブレーキトルクが起動もしくは増大され、これにより、ブレーキブースタの支持力が低減された場合の操作素子の位置変化を、上記方法に類似して弁４０１の開放によりブレーキ液が２チャンバアキュムレータの左側の低圧チャンバに放出されることにより補償することができる。
【００４２】
発電機トルクが停止もしくは低減された場合、一定のブレーキ遅延のために支援力を再び高める必要がある。この場合に、ペダル変位を少なくとも部分的に補償するために、弁４０２の開放により液体が圧力アキュムレータからブレーキ回路に供給され、不可欠な容積を補償するために働く。詳細な説明は、図２および図３に基づき既に説明した方法に類似しているので省略する。
【００４３】
ブレーキプロセス後、アキュムレータは初期状態に移行され、この場合に、弁４０１および４０２が開放され、場合によってはばね１１６および１２３の作用による支援によって制動前のチャンバの充填状態が再現される。図１とは反対に、右側のチャンバ１２２はこの場合、ブレーキ回路および／またはマスタシリンダからの液体を収容する。ここでも代替的な可能性（図示しない）は、２つのチャンバそれぞれからブレーキ液を有する少なくとも１つのリザーバタンク、特にマスタシリンダのリザーバタンクへの遮断可能で直接的な液圧接続によりシステムに再びブレーキ液を供給することである。
【００４４】
操作素子の変位が完全に補償されることを確保するために、図１の液圧アキュムレータの場合の説明と同様に、液圧アキュムレータは図４では、弁４０２が閉鎖されており、弁４０１が開放されており、接続されているホイールブレーキとの液圧的な接続が弁１２４により遮断されている場合にブレーキブースタの作動によりあらかじめ充填される。
【００４５】
本発明による装置５０２の代替的な構成が図５に示されている。この状態では、１つのみのチャンバを有するアキュムレータ変化態様が再び使用される。ここでも、図４のように入口素子との液圧的な接続はない。他の構成素子は、図１に示す構成素子に対応しており、それゆえ新たに示していない。原理的に、発電機トルクが起動された場合、弁５０１の開放時に容積をブレーキ回路からアキュムレータに収容することができ、発電機トルクが停止された場合、容積をアキュムレータからブレーキ回路に放出することができる。このようにして、ブレーキブースタによる支援力の変更により、入口装置１０１の位置変化に反作用させる。詳細な説明は、図２および図３にも度づき既に説明した方法に類似しているので省略する。図１の液圧アキュムレータにおける説明と同様に、この実施形態では、液圧アキュムレータがブレーキブースタの作動、弁１１１の開放、および弁１２４によるホイールブレーキとの液圧的な接続の中断によりあらかじめ充填され、これにより、容積を高圧下でブレーキ回路に放出することができる。
【００４６】
マスタシリンダ１０６、ピストン-シリンダユニット１０９および１１０、液圧アキュムレータ１０８，１１７，４０３および５０２のチャンバの断面積ならびにばね１１６，１１８および１２３の予荷重および設計は、例えばブレーキ回路、マスタシリンダ、入口チャンバなどに提供された圧力レベルに応じて、距離補償のための弁の開放により、構造に基づいた限界内でアキュムレータ内外にブレーキ媒体が流れることが可能となるように選択すべきである。特にこのような寸法決めにより、補償可能な距離の値を調節することもできる。この場合、アキュムレータの充填状態を考察すべきである。より正確にいえば、アキュムレータは、最大充填状態に到達するまでブレーキ液を収容することができ、もしくは完全に排出されるまで排出することができる。
【００４７】
図示の全ての実施形態では、ブレーキシステムから取り出されるか、もしくはブレーキシステムまたは入口チャンバに供給されるブレーキ液の量は弁の制御によって調整される。もちろん上述のように関与する液圧素子の圧力レベルが容積搬送を可能にすることを前提とする。容積交換を制御するために、弁１１１，１１３，４０１，４０２および５０１が制御ユニットに接続されている（図示しない）。この制御ユニットは、例えば液圧装置またはブレーキブースタの制御ユニットの形態でブレーキシステム内に既に設けられていてもよい。
【００４８】
上記全ての実施形態では、ピストン-シリンダユニットとばねおよび弁との組み合わせの形で液圧アキュムレータを説明したが、これは決して限定的なものとして理解されるべきものではない。とりわけ、ダイアフラム式アキュムレータおよび／または金属ベローズ式アキュムレータおよび／またはアキュムレータ機能を有する他の容積収容ユニットが可能である。
【００４９】
液圧アキュムレータの説明は、ここでは１つのみのブレーキ回路に接続されたアキュムレータに限定しているが、本方法および本装置は、接続されたブレーキ回路の数を限定するものではない。さらに別のブレーキ回路内に接続された弁の位置が所定の役割を果たし得る。例えば、マスタシリンダに接続された別のブレーキ回路の流入弁は液圧アキュムレータの充填時に充填によるブレーキ作用を防止する役割を果たす。
【００５０】
制御可能なブレーキブースタを介してアキュムレータを充填する代わりに、場合によっては付加的に、ブレーキ回路および／またはマスタシリンダに液圧的に接続されているか、および／またはアキュムレータに直接に液圧的に接続されている他の種類の容積搬送ユニット、例えばＥＳＰの再循環ポンプがこれを実施することもできる。ブレーキシステム内の容積搬送ユニットの構成および位置決めに応じて、場合によっては、容積搬送ユニットと液圧アキュムレータとの間の液圧接続部に位置する弁の位置を考慮する必要がある。
【００５１】
要約すれば、本発明は、従来部分と別の部分、例えば回生部分とからなる総ブレーキ装置の一部として、ブレーキ回路もしくはブレーキペダルのピストン-シリンダユニット内における容積移動を誘起することができる方法および装置を記載しているといえる。このことを利用して、ブレーキ装置の液圧部分における制御可能なブレーキブースタによる圧力比の変化をブレーキ装置の別の部分の付加的なブレーキ作用により補償し、これにより、運転手がペダルの位置変化に基づいてブレーキペダルで実施しなくても、異なるブレーキシステムのブレーキ作用から総ブレーキ作用が得られる。本方法は、例えば、電流を生成する発電機として電動機を作動することによりブレーキ遅延が誘起され、従来の液圧式ブレーキシステムを別のブレーキシステムまたはバックアップ-ブレーキシステムとして備える車両で使用することができる。
【図１Ａ】
0005484573.tif 000002
【図１Ｂ】
0005484573.tif 000003
【図２Ａ−２Ｃ】
0005484573.tif 000004
【図３Ａ−３Ｃ】
0005484573.tif 000005
【図４】
0005484573.tif 000006
【図５】
0005484573.tif 000007